(57)【要約】【課題】薬液の入ったバイアル瓶に外部空気が直接侵入するのを防ぐことができる二重構造バイアルを提供する。【解決手段】第一バイアル瓶と第二バイアル瓶とを有し、  第二バイアル瓶の上部および下部のそれぞれを嵌め入れることができる環状部および該環状部から放射状に広がった脚部からなる固定支持体で第二バイアル瓶を第一バイアル瓶の中に、第二バイアル瓶の栓体が第一バイアル瓶の栓体と同方向で且つ略同軸上に位置するように固設し、注射針を第一バイアル瓶の栓体および第二バイアル瓶の栓体に突き通して、第二バイアル瓶内に貯蔵された薬液を吸い出すことができる二重構造バイアル瓶。【選択図】図２
2011212366.tif 000002
【特許請求の範囲】
【請求項１】
第一バイアル瓶と、第一バイアル瓶の中に設置された第二バイアル瓶とを有し、
該第二バイアル瓶の栓体が該第一バイアル瓶の栓体と同方向で且つ略同軸上に位置している二重構造バイアル瓶。
【請求項２】
第二バイアル瓶はその中に薬液を貯蔵できるものである請求項１に記載の二重構造バイアル瓶。
【請求項３】
第一バイアル瓶と第二バイアル瓶との間の空隙に処理剤を備えている請求項１または２に記載の二重構造バイアル瓶。
【請求項４】
処理剤が、酸素吸収剤、二酸化炭素吸収剤、または乾燥剤の一種以上である請求項３に記載の二重構造バイアル瓶。
【請求項５】
第二バイアル瓶の上部および／または下部に取り付けられた固定支持体によって、第二バイアル瓶が第一バイアル瓶の中に固定支持されている、請求項１〜４のいずれか１項に記載の二重構造バイアル瓶。
【請求項６】
前記の固定支持体は、第二バイアル瓶の上部および／または下部を嵌め入れることができる環状部と、該環状部から放射状に広がった脚部とを有している、請求項５に記載の二重構造バイアル瓶。
【請求項７】
第二バイアル瓶の上部および／または下部を嵌め入れることができる環状部と、該環状部から放射状に広がったプラスチック製の脚部とを有する、請求項５に記載の二重構造バイアル瓶用の固定支持体。
【発明の詳細な説明】
【技術分野】
【０００１】
本発明は、二重構造バイアル瓶に関する。より詳細に、本発明は、薬液の入ったバイアル瓶に外部空気が直接侵入するのを防ぐことができる二重構造バイアル瓶に関する。
【背景技術】
【０００２】
バイアル瓶は、薬品を容れる透明な容器で、キャップ（蓋体）に開口部があり、その開口部がゴム栓またはゴム隔膜などの栓体で塞がれている。栓体天面から注射針を刺して、中味を吸い出すことができるようになっている。気密性を高める目的で栓体と容器本体をアルミニウム製蓋体で巻締められ、若しくは栓体と容器本体をプラスチック製蓋体で捻子締められている。バイアル瓶に貯蔵された薬液は、外部空気に対して安定な薬液の場合には、キャップを開けて取り出すことができる。しかしながら、外部空気に含まれる、酸素、二酸化炭素、水分等によって影響を受けやすい薬液の場合には、外部空気と薬液とが接触しないように、栓体天面に注射針を突き刺して注射器等に吸い出される。この方法で薬液が吸い出されるとバイアル瓶の中は負圧になる。吸い出された薬液が多くなるほど負圧は大きくなる。バイアル瓶の中が負圧の状態で薬液を長期間貯蔵していると、栓体と開口部との隙間、栓体と注射針との隙間若しくは注射針の刺後の孔等から、外部空気が徐々に侵入し、薬液が外部空気に含まれる、酸素、二酸化炭素、水分等によって影響を受けることがある。
【０００３】
こうした外部空気の侵入を防ぎ薬液を保護するために、栓体の栓脚を長くする、アルミニウム製蓋体などでの巻締めやプラスチック製蓋体での捻子締めを強くする等の、バイアル瓶に対する工夫が施されるが、こうした工夫だけでは、微量の外部空気の侵入で影響を受けやすい薬液を、繰り返し使用しながら、薬液が無くなるまで安定に長期間保存するには、不十分である。
【０００４】
また、バイアル瓶自体をデシケーター等の密閉容器の中に保存し、外部空気の侵入を防ぐ方法がある。この場合でも薬液を吸い出すときにはバイアル瓶を密閉容器の外に取り出し、栓体天面に注射針を突き刺して薬液を吸い出すので、この間に微量の外部空気が栓体と開口部との隙間、栓体と注射針との隙間若しくは注射針の刺後の孔等から侵入することがある。
【先行技術文献】
【特許文献】
【０００５】
【特許文献１】特開平９−２８６４５３号公報
【特許文献２】特開２００３−２００９７７号公報
【発明の概要】
【発明が解決しようとする課題】
【０００６】
本発明の目的は、栓体と開口部との隙間、栓体と注射針との隙間若しくは注射針の刺後の孔等から、外部空気が、バイアル瓶に直接侵入することを防ぎ、外部の空気に含まれている酸素、炭酸ガス、水分等によって影響を受けやすい薬液を、繰り返し使用しながら、薬液が無くなるまで安定に長期間保存できる、二重構造バイアル瓶を提供することにある。
【課題を解決するための手段】
【０００７】
本発明者は、前記目的を達成するために鋭意検討した結果、第一バイアル瓶の中に第二バイアル瓶を設置し、該第二バイアル瓶の栓体が該第一バイアル瓶の栓体と同方向で且つ略同軸上に位置するようにした二重構造バイアル瓶を用いると、外部空気が、栓体と開口部との隙間、栓体と注射針との隙間若しくは注射針の刺後の孔等から、薬液の入ったバイアル瓶に直接侵入しないので、外部空気に含まれている酸素、炭酸ガス、水分等による薬液への影響を防止できるため、薬液を繰り返し使用しながら、該薬液が無くなるまで安定に長期間保存することができることを見出した。本発明はこの知見に基いてさらに検討した結果完成したものである。
【０００８】
すなわち、本発明は、以下のものを含むものである。
〔１〕  第一バイアル瓶と、第一バイアル瓶の中に設置された第二バイアル瓶とを有し、
該第二バイアル瓶の栓体が該第一バイアル瓶の栓体と同方向で且つ略同軸上に位置している二重構造バイアル瓶。
〔２〕  第二バイアル瓶はその中に薬液を貯蔵できるものである前記〔１〕に記載の二重構造バイアル瓶。
〔３〕  第一バイアル瓶と第二バイアル瓶との間の空隙に処理剤を備えている前記〔１〕または〔２〕に記載の二重構造バイアル瓶。
〔４〕  処理剤が、酸素吸収剤、二酸化炭素吸収剤、または乾燥剤の一種以上である前記〔３〕に記載の二重構造バイアル瓶。
〔５〕  第二バイアル瓶の上部および／または下部に取り付けられた固定支持体によって、第二バイアル瓶が第一バイアル瓶の中に固定支持されている、前記〔１〕〜〔４〕のいずれか１項に記載の二重構造バイアル瓶。
〔６〕  前記の固定支持体は、第二バイアル瓶の上部および／または下部を嵌め入れることができる環状部と、該環状部から放射状に広がった脚部とを有している、前記〔５〕に記載の二重構造バイアル瓶。
〔７〕  第二バイアル瓶の上部および／または下部を嵌め入れることができる環状部と、該環状部から放射状に広がったプラスチック製の脚部とを有する、前記〔５〕に記載の二重構造バイアル瓶用の固定支持体。
【発明の効果】
【０００９】
本発明の二重構造バイアル瓶は、薬液が貯蔵されている第二バイアル瓶に外部空気が直接侵入しないので、外部空気に含まれている酸素、炭酸ガス、水分等によって影響を受けやすい薬液を、繰り返し使用しながら、薬液が無くなるまで安定に長期間保存することができる。
第二バイアル瓶に貯蔵されている薬液は、注射針を第一バイアル瓶の栓体天面に突き刺し、更に該第一バイアル瓶の栓体と同方向で且つ略同軸上に位置している第二バイアル瓶の栓体天面に突き刺して吸い出される。第二バイアル瓶の栓体と開口部との隙間、栓体と注射針との隙間若しくは注射針の刺後の孔等から気体が侵入しても、該侵入気体は第一バイアル瓶に封入されていた気体であるので、第一バイアル瓶に薬液に対して不活性な気体を封入しておけば、第二バイアル瓶に貯蔵されている薬液に外部空気の影響が及び難い。
【図面の簡単な説明】
【００１０】
【図１】（ａ）は第二バイアル瓶の蓋体と栓体を示す概念図、（ｂ）は第二バイアル瓶の容器本体と蓋体を示す概念図である。
【図２】本発明の二重構造バイアル瓶の一実施形態を示す断面概念図である。
【図３】本発明の二重構造バイアル瓶の使用形態を示す断面概念図である。
【図４】下部固定支持体の一実施形態を示す上面概念図である。
【図５】下部固定支持体の一実施形態を示す側面概念図である。
【図６】上部固定支持体の一実施形態を示す側面概念図である。
【発明を実施するための形態】
【００１１】
本発明の二重構造バイアル瓶の実施形態について、図面を参照しながら説明する。なお、本発明は図面に示したものに限定されない。
【００１２】
本発明で使用される第一バイアル瓶及び第二バイアル瓶としては、図１の如きバイアル瓶が例示できるが、図１に限らず従来知られているいかなるバイアル瓶でも良い。図１は、第二バイアル瓶の一例を示す概念図である。第二バイアル瓶は容器本体１、栓体２、及び蓋体３から構成されている。容器本体１は上部に開口を有し薬液を貯蔵できる容器である。該容器は、例えば、ガラス、プラスチック、金属、セラミック等で構成されている。透明な容器本体は、中に貯蔵されている薬液の状態が見えるので好ましい。栓体２は、容器本体１の上部開口を封止する栓である。栓体２の天面に注射針を突き刺すことによって薬液を吸い出すことができる。栓体２には、ゴム栓やゴム隔膜が好ましく用いられるが、その他、通常バイアル瓶に用いられる栓体であればいかなるものでも良い。蓋体３は、栓体２と容器本体上部開口との気密性を高める目的で装着される。蓋体は、栓体天面から注射針を突き刺すことができる様に蓋体天面に開口部が設けられている。蓋体３は、栓体２と容器本体上部開口との気密性を高めることができればいかなる素材及び形状のものでも良い。例えば、栓体２と容器本体１をアルミニウム製蓋体で巻締めすることができ、若しくは栓体２と容器本体１をプラスチック製蓋体で捻子締めすることができる。
【００１３】
本発明においては上記の如きバイアル瓶を図２の様に二重構造にして使用する。第一バイアル瓶の大きさは、該第一バイアル瓶の中に第二バイアル瓶の全体が入るのに十分な容積を有していると共に、第一バイアル瓶の容器本体上部開口が第二バイアル瓶または容器本体１の上部および／または下部に取り付けられた固定支持体７，８を有する第二バイアル瓶を挿入できる程度の口径を有していることが好ましい。第一バイアル瓶と第二バイアル瓶は同じ形状であってもよいし異なる形状であってもよく、また同じ材質であってもよいし異なる材質であってもよい。
【００１４】
図２は、本発明の二重構造バイアル瓶の一実施形態を示す概念図である。図３は、第二バイアル瓶に薬液を入れ、注射針１０を指して薬液を吸い出そうとしている状況を示す概念図である。図２に示す本発明の二重構造バイアル瓶は、第一バイアル瓶の中に第二バイアル瓶が固定支持体７および８によって固定支持され、該第一バイアル瓶の栓体５は該第二バイアル瓶の栓体２と同方向で且つ略同軸上に位置している。薬液は、該第二バイアル瓶に貯蔵することができる。該薬液を吸い出す場合は、注射針１０を第一バイアル瓶の栓体５の天面に突き刺し、更に第二バイアル瓶の栓体２の天面に突き刺して、必要な時に必要な量の薬液を吸い出し、残部の薬液は貯蔵される。
【００１５】
本発明の二重構造バイアル瓶を用いれば、第二バイアル瓶の中が負圧になっても第二バイアル瓶の栓体２と第二バイアル瓶の開口部との隙間、栓体２と注射針１０との隙間若しくは栓体２の注射針の刺後の孔等から、侵入する可能性のある気体は、第一バイアル瓶に封入されていた気体である。従って、第一バイアル瓶に封入されている気体を適宜選択することによって、第二バイアル瓶に貯蔵されている薬液を繰り返し使用しながら、薬液が無くなるまで安定に長期間貯蔵することができる。
【００１６】
第一バイアル瓶に封入される気体は、薬液に対して安定な気体であればいかなるものでもよい。通常は乾燥空気や窒素、アルゴン、ヘリウムなどの不活性気体が用いられる。薬液に対して酸素が影響を及ぼす様な場合には、不活性ガスが封入される。薬液に対して空気中の二酸化炭素や水分が影響を及ぼす様な場合には、空気中の二酸化炭素や水分を除去した空気を封入すればよい。前記不活性ガスや前記空気を封入する場合、必要に応じて第一バイアル瓶の中に酸素吸収剤、二酸化炭素吸収剤、乾燥材などの処理剤９を一種以上備えておくと良い。
【００１７】
酸素吸収剤としては公知のいかなるものでもよく、具体例を示すと、還元性を有する金属粉、例えば還元性鉄、還元性亜鉛、還元性錫粉；金属低位酸化物、例えば酸化第一鉄、四三酸化鉄；還元性金属化合物、例えば、炭化鉄、ケイ素鉄、鉄カルボニル、水酸化第一鉄；多価フェノールを骨格内に有する高分子化合物、例えば多価フェノール含有フェノール・アルデヒド樹脂；有機系化合物、例えば、アスコルビン酸、エリソルビン酸、トコフェロール類、及びこれらの塩類；などの一種又は二種以上を組合せたものを主成分としたものが挙げられる。特に還元性鉄及びアスコルビン酸系化合物が好ましい。これらは必要に応じてアルカリ金属、アルカリ土類金属の水酸化物、炭酸塩、亜硫酸塩、チオ硫酸塩、第三リン酸塩、有機酸塩、ハロゲン化物、更に活性炭、活性アルミナ、活性白土，ゼオライト、珪藻土のような助剤とも組合せて使用することができる。
【００１８】
二酸化炭素吸収剤としては公知のいかなるものでもよく、具体例を示すと、アルカリ金属またはアルカリ土類金属の酸化物、水酸化物、炭酸塩、及び有機酸塩、活性炭、モレキュラーシーブスなどの合成ゼオライト、モルデナイトなどの天然ゼオライト、などの一種又は二種以上を組合せたものを主成分としたものが挙げられる。特にモノエタノールアミン、消石灰、酸化カルシウム、酸化マグネシウム、水酸化マグネシウムなどが好ましい。
【００１９】
乾燥材としては公知のいかなるものでもよく、具体例を示すと、酸化カルシウム、ゼオライト、二酸化珪素、シリカゲル、モレキュラーシーブス、硫酸カルシウム、塩化マグネシウム、硫酸マグネシウム、明礬石、塩化カルシウム、酸化亜鉛、チタン酸バリウム、アルミナ、活性炭、粘土鉱物、などの一種又は二種以上を組合せたものを主成分としたものが挙げられる。特に酸化カルシウム、ゼオライト、二酸化珪素、シリカゲル、モレキュラーシーブス、塩化カルシウム、活性炭、などが好ましい。更にポリビニルアルコール（ＰＶＡ）系やポリエチレングルコール（ＰＥＧ）系等の吸水性ポリマーを併用することも可能である。
【００２０】
その他の処理剤として、ＮＯｘ吸収剤、ＳＯｘ吸収剤、一酸化炭素吸収剤、滅菌剤、などが挙げられる。
【００２１】
固定支持体７および８は、第二バイアル瓶が第一バイアル瓶の中に固定支持できれば、いかなる形状及び素材のものであっても良い。図４は固定支持体７の一実施形態の上面図であり、図５は固定支持体７の一実施形態の側面図である。図６は固定支持体８の一実施形態の側面図である。固定支持体８の上面図は図４と同じ様なものであるので省略した。
固定支持体７は、第二バイアル瓶の下部の外周にはめ込むことができる環状部７１と、該環状部から放射状に広がった脚部７２とからなる。固定支持体８は、第二バイアル瓶の上部の外周にはめ込むことができる環状部８１と、該環状部から放射状に広がった脚部８２とからなる。環状部および脚部が、プラスチック製であると、加工しやすく、第二バイアル瓶の上部または下部の外周に装着しやすい。図５または図６において固定支持体を上下から押すと、プラスチック製脚部７２および８２が弾性によって広がる。プラスチック製固定支持体７および８を装着した第二バイアル瓶を第一バイアル瓶の中に入れ、蓋体で抑えたときに、脚部７２および８２が弾性で広がり、第一バイアル瓶の内壁に密着するので、第一バイアル瓶の安定性が増す。また、固定支持体を設けると、処理剤９を第一バイアル瓶の中に多量に備えることができるので好ましい。
【００２２】
固定支持体の材料となるプラスチックはいかなるものでもよいが、耐熱性、対候性、及び耐薬品性に優れたプラスチックが好ましく、例えば、ポリエチレン、ポリプロピレン、ポリスチレン、ポリ塩化ビニル、ポリエステル、ポリアミド、ポリカ−ボネ−ト、フッ素系ポリマーなどを挙げることができる。特にフッ素系ポリマー、例えばポリテトラフルオロエチレン（ＰＴＦＥ）、テトラフルオロエチレン／パーフルオロアルキルビニルエーテル共重合体（ＰＦＡ）、テトラフルオロエチレン／ヘキサフルオロプロピレン共重合体（ＦＥＰ）、エチレン／テトラフルオロエチレン共重合体（ＥＴＦＥ）、エチレン／クロロトリフルオロエチレン共重合体（ＥＣＴＦＥ）などが好ましい。
【００２３】
本発明の二重構造バイアル瓶は、薬液が貯蔵されている第二バイアル瓶に外部空気が直接侵入しないので、外部空気に含まれている酸素、炭酸ガス、水分等によって影響を受けやすい薬液を繰り返し使用しながら、薬液が無くなるまで安定に長期間保存することができる。
【符号の説明】
【００２４】
１：  第二バイアル瓶の容器本体
２：  第二バイアル瓶の栓体
３：  第二バイアル瓶の蓋体
４：  第一バイアル瓶の容器本体
５：  第一バイアル瓶の栓体
６：  第一バイアル瓶の蓋体
７：  第二バイアル瓶下部に装着される固定支持体
７１：  環状部
７２：  脚部
８：  第二バイアル瓶上部に装着される固定支持体
８１：    環状部
８２：    脚部
９：  処理剤
１０：  注射針
【図１】
2011212366.tif 000003
【図２】
2011212366.tif 000004
【図３】
2011212366.tif 000005
【図４】
2011212366.tif 000006
【図５】
2011212366.tif 000007
【図６】
2011212366.tif 000008